(57)【特許請求の範囲】
【請求項１】
携帯電話、ＰＨＳ等の移動体通信電話とは別に携帯して、携帯している電話が受信していることを発光ダイオード、電球等の発光体を発光させることにより受信者に知らせる受信器であって、少なくとも一方が開放している筒状のカバー胴体に前記発光体を内蔵しており、光が透過する材質からなるクリップ付のキャップ体が前記発光体を覆っており、このクリップの少なくとも湾曲する部分の表面又は裏面に突起若しくは窪みを設けてあり、前記クリップの裏面の付け根部分から先端部分に亘り突条又は溝を設けてあることを特徴とする移動体通信電話用受信器。
【請求項２】
前記クリップの裏面の先端部分に掛止突起を設けてあることを特徴とする請求項１記載の移動体通信電話用受信器。
【請求項３】
携帯電話、ＰＨＳ等の移動体通信電話とは別に携帯して、携帯している電話が受信していることを発光ダイオード、電球等の発光体を発光させることにより受信者に知らせる受信器であって、筒状のカバー胴体の一方側に発光体を内蔵してあるとともに、他方側に液浸透式印判体を装着しており、光が透過する材質からなるクリップ付のキャップ体が前記発光体を覆っており、このクリップの少なくとも湾曲する部分の表面又は裏面に突起若しくは窪みを設けてあり、前記クリップの裏面の付け根部分から先端部分に亘り突条又は溝を設けてあることを特徴とする印判体を内蔵した移動体通信電話用受信器。
【発明の詳細な説明】
【０００１】
【産業上の利用分野】
本発明は、携帯電話、ＰＨＳ等の移動体通信電話とは別に携帯して、携帯している電話が受信していることを知らせる移動体通信電話用受信器に関する。
【０００２】
【従来の技術】
近年携帯電話、ＰＨＳ等の移動体通信電話の小型化がなされており、ポケット等に入れている場合はあるが、現状においても移動体通信電話をカバン等に入れて携帯する場合が多い。このような状況で、電車等の公共の交通機関や劇場等の公共施設を利用した際に突然移動体通信電話の発信音が鳴りだすと、周辺に迷惑がかかり、このことについて近年社会問題となっている。
【０００３】
そこで、この問題を解決するために、移動体通信電話と別に携帯することができる小型の受信器が開発された。この受信器は小型ゆえ、上着の胸ポケット等に入れて容易に身につけることができる。また、移動体通信電話が受信している間、発信音を鳴らす代わりに、発光体を設けて、発光体が発光して移動体通信電話が受信していることを知らせたり、塊状の振動体を設けて、振動体が振動して移動体通信電話が受信していることを知らせたりしている。
【０００４】
【発明が解決しようとする課題】
上記の発光体を有する受信器は光が弱いため、アクセサリーとしての役割が大きく、本来の役割である、発光体が発光することにより携帯している電話が受信していることを知らせる役割を十分に果たせないという問題点があった。
【０００５】
また、受信器本来の役割を十分に果たせないことから、頻繁には移動体通信電話を使用しない利用者にとって、受信器は単なるアクセサリーになりがちである。また、頻繁に移動体通信電話を使用している利用者にとっては、受信器を別途に所持する必要性は小さく、移動体通信電話を直接所持した方が利用しやすい。以上より、受信器の利用価値が低いという問題点があった。
【０００６】
【課題を解決するための手段】
上記の課題を解決するために、本発明移動体通信電話用受信器は、携帯電話、ＰＨＳ等の移動体通信電話とは別に携帯して、携帯している電話が受信していることを発光ダイオード、電球等の発光体を発光させることにより受信者に知らせる受信器であって、少なくとも一方が開放している筒状のカバー胴体に前記発光体を内蔵しており、光が透過する材質からなるクリップ付のキャップ体が前記発光体を覆っており、このクリップの少なくとも湾曲する部分の表面又は裏面に突起若しくは窪みを設けてあることを特徴とする。
また、前記クリップの裏面の先端部分に掛止突起を設けてあることを特徴とする。
さらに、前記クリップの裏面の付け根部分から先端部分に亘り突条又は溝を設けてあることを特徴とする。
【０００７】
また、本発明印判体を内蔵した移動体通信電話用受信器は、携帯電話、ＰＨＳ等の移動体通信電話とは別に携帯して、携帯している電話が受信していることを発光ダイオード、電球等の発光体を発光させることにより受信者に知らせる受信器であって、筒状のカバー胴体の一方側に発光体を内蔵してあるとともに、他方側に液浸透式印判体を装着しており、光が透過する材質からなるクリップ付のキャップ体が前記発光体を覆っており、このクリップの少なくとも湾曲する部分の表面又は裏面に突起若しくは窪みを設けてあることを特徴とする。
【０００８】
【発明の実施の形態】
本発明移動体通信電話用受信器は、携帯電話、ＰＨＳ等の移動体通信電話とは別に携帯して、携帯している電話が受信していることを発光ダイオード、電球等の発光体を発光させることにより受信者に知らせる受信器であって、少なくとも一方が開放している筒状のカバー胴体に前記発光体を内蔵しており、光が透過する材質からなるクリップ付のキャップ体が前記発光体を覆っており、このクリップの少なくとも湾曲する部分の表面又は裏面に突起若しくは窪みを設けてある。
【０００９】
また、前記クリップの裏面の先端部分に掛止突起を設けてある。
さらに、前記クリップの裏面の付け根部分から先端部分に亘り突条又は溝を設けてある。
なお、前記クリップの裏面の付け根部分から先端部分に亘り突条又は溝を設けてある代わりに、クリップの湾曲する部分から先端部分の表面に突起又は窪みを設けたり、クリップの表面の湾曲する部分から先端部分に亘り突条又は溝を設けてあってもよい。
【００１０】
また、本発明印判体を内蔵した移動体通信電話用受信器は、携帯電話、ＰＨＳ等の移動体通信電話とは別に携帯して、携帯している電話が受信していることを発光ダイオード、電球等の発光体を発光させることにより受信者に知らせる受信器であって、筒状のカバー胴体の一方側に発光体を内蔵してあるとともに、他方側に液浸透式印判体を装着しており、光が透過する材質からなるクリップ付のキャップ体が前記発光体を覆っており、このクリップの少なくとも湾曲する部分の表面又は裏面に突起若しくは窪みを設けてある。
また、印判体と一体になっており、カバー胴体に装着する印判装着体を設けてあるとよい。
【００１１】
また、前記クリップの裏面の先端部分に掛止突起を設けてある。
さらに、前記クリップの裏面の付け根部分から先端部分に亘り突条又は溝を設けてある。
なお、前記クリップの裏面の付け根部分から先端部分に亘り突条又は溝を設けてある代わりに、クリップの湾曲する部分から先端部分の表面に突起又は窪みを設けたり、クリップの表面の湾曲する部分から先端部分に亘り突条又は溝を設けてあってもよい。
【００１２】
【実施例】
発明の実施の形態は図面を参照して説明する。なお、本実施例は印判体を内蔵した移動体通信電話用受信器である。
図１乃至図４は本発明印判付き移動体通信電話用受信器の実施例である。なお、図１は正面図であり、図２は右側面図である。また、図３は図１図示のＡ−Ａ断面図であり、図４は図１図示のＢ−Ｂ断面図である。本実施例は、カバー胴体１、液浸透式の印判体２、印判体２と一体となりカバー胴体１に装着する印判装着体３、カバー胴体１の一方端を覆うキャップ体４、及び印判体２の印面９を覆う蓋体５とからなる。
【００１３】
本実施例のカバー胴体１は筒状であり、この中の一方側に最寄りの移動体通信電話が受ける信号を受信して発光する発光装置を内蔵し、他方側に印判体２を装着する部材である。カバー胴体１の一方側に内蔵する発光装置は基盤６及び発光体７からなり、印判体２と一体になっている印判装着体３を取り外すと、電池８が取り出しできるように構成してある。発光装置を構成する基盤６は移動体通信電話が受ける信号を最寄りの移動体通信電話が受ける信号を受信し、その間、発光体７が発光するように制御するものであり、ＬＳＩを使用しているとよい。また、発光体７は発光装置の性質上発光ダイオードであるとよいが、豆電球等であってもよい。また、発光し続けるもの、点滅し続けるものであるかは問わない。さらに、本発明印判付き移動体通信電話用受信器は移動体通信電話に比べて小型であるから、電池８は水銀電池を使用するとよい。
【００１４】
印判装着体３は筒状になっており、大径の露出部１１と小径の装入部１２とからなる。露出部１１は、印判体２と一体化してある印判装着体３をカバー胴体１に装着した際に、カバー胴体１の外側に露出する部分であり、カバー胴体１に印判装着体３を装着した際に、カバー胴体１と印判装着体３の露出部１１の間に段差ができないように、外径はカバー胴体１の外径と略同径にしてある。また、本実施例では蓋体５が印判装着体３の内側に入り込んで印判体２の印面９を覆うように構成してあるため、内径は蓋体５の外径と略同径にしており、印判体２を装入すると固定されるように構成してある。一方、装入部１２は、印判体２と一体化してある印判装着体３をカバー胴体１に装着した際に、カバー胴体１の内側に挿入する部分である。そのため、この部分の外径はカバー胴体１の内径と略同径にしてある。
【００１５】
キャップ体４は発光体７を覆う部材であり、発光体７が発する光を透過する材質からなる。また、上着の胸ポケット等に掛止するために、このキャップ体４の側部から、クリップ１６を設けており、カバー胴体１に装着した際に、カバー胴体１の側面に位置するように設けてある。また、このクリップ１６の内側先端部には上着の胸ポケット等に掛止する掛止突起１７を設けてある。さらに、本発明ではクリップ１６の少なくとも湾曲する部分の表面に突起又は窪みを設けてあることを特徴としており、本実施例においては、クリップ１６の湾曲する部分の表面に発光方向と直交する向きに短冊状の突起１９を複数設けており、短冊状の複数の突起１９は付け根から離れていく毎に短くしてある。また、図４で示すように、クリップ１６の裏面の付け根部分から掛止突起１７に亘り突条１８を設けており、この突条１８の幅は、クリップ１６の表面に設けてある突起１９の付け根から最も離れた位置に有する突起１９の幅と略同径である。
【００１６】
上記の通り構成している各部材から、本実施例を以下のように組み立てる。先ず、カバー胴体１に発光装置を内蔵する。発光装置は基盤６、発光体７からなり、基盤６をカバー胴体１の一方側から内蔵し、その際、基盤６の一方側に発光体７を接続し、発光体７の先端をカバー胴体１から露出させる。一方、基盤６の他方側には電池８を収容する。
【００１７】
続いて、印判装着体３に印判体２を装着して、印判体２を印判装着体３に印判体２を固定する。これにより、印判装着体３と印判体２とは一体化する。なお、液浸透式印判体のインクの補充を印面９から行う場合は、印判装着体３と印判体２とを分離させる必要もないから、印判装着体３と印判体２とを予め固着してもよい。
【００１８】
続いて、発光装置を内蔵したカバー胴体１に、印判装着体３を装着する。先ず、印判装着体３の装入部１２の外側に、カバー胴体１及び印判カバー体３の露出部１１と略同径である環１３を装入する。続いて、印判装着体３をカバー胴体１に装入し、カバー胴体１の先縁が環１３に当接するまで押し込む。以上より、カバー胴体１と印判装着体３は一体化する。さらに、カバー胴体１の一方側端にキャップ体４を被せ、印判体２の印面９側に蓋体５を被せると、図１乃至図３で図示するように、本実施例を組み立てた状態になる。なお、発光体７が発光ダイオードである場合は、カバー胴体１とキャップ体４とを固着してもよい。
【００１９】
上記の通り構成している本実施例は以下のように作用する。先ず、各自有する移動体通信電話が受信すると、その受信信号を基盤６に転送し、基盤６で発光体７が発光するように信号を送る。この信号は移動体通信電話が受信して通信を開始するか、回線が断絶するまで送られ、その間発光体７は発光し続ける。なお、発光体７の構造上、その間点滅し続けてもよい。このように発光体７が発光すると、この光はキャップ体４の側面に位置する突起１９に衝突し屈折する。さらに、この屈折した光が連なる突起１９へ導かれ、さらに、この光は掛止突起１７まで到達する。その結果、信号が受信器に送信されると、発光体７が発光し、クリップ１６の付け根から掛止突起１７まで発光しているように見える。一方、印判体２を使用するときは、蓋体５を取り外せば容易に捺印することができる。
【００２０】
本実施例においては、クリップ１６湾曲する部分の表面に発光方向と直交する向きに短冊状の複数の突起１９を設けてあるとともに、クリップ１６の裏面の付け根部分から掛止突起１７に亘り突条１８を設けてあるが、クリップ１６の湾曲する部分の裏面に発光方向と直交する向きに短冊状の複数の突起１９を設けてあってもよく、また、突条１８の代わりに溝を形成していたり、また、短冊状の突起１９の代わりに窪みを形成していてもよい。
【００２１】
【発明の効果】
本発明移動体通信電話用受信器は、少なくとも一方が開放している筒状のカバー胴体に前記発光体を内蔵しており、光が透過する材質からなるクリップ付のキャップ体が前記発光体を覆っており、このクリップの少なくとも湾曲する部分の表面又は裏面に突起若しくは窪みを設けてあるから、発光体が発光すると、クリップの付け根部分から先端部分まで発光しているように見え、発光体が発光することにより携帯している電話が受信していることを確認することが十分可能であり、移動体通信電話用受信器の本来の役割を十分に果たすことができるという効果を有する。
【００２２】
また、クリップの付け根部分から先端部分まで発光しているように見えるから、アクセサリーとしての役割も十分果たす。また、キャップ体にクリップを設けてあるから、胸ポケットに本発明移動体通信電話用受信器をフックすれば、携帯しやすい上、発光体の発光がよく見えるようになる。さらに、クリップの裏面の先端部分に掛止突起を設けてあると、フックしやすくなる。さらに、前記クリップの裏面の付け根部分から先端部分に亘り突条又は溝を設けてあると、確実に上記効果を奏する。
【００２３】
本発明印判体を内蔵した移動体通信電話用受信器は、筒状のカバー胴体の一方側に発光体を内蔵してあるとともに、他方側に液浸透式印判体を装着しており、光が透過する材質からなるクリップ付のキャップ体が前記発光体を覆っており、このクリップの少なくとも湾曲する部分の表面又は裏面に突起若しくは窪みを設けてあるから、上記効果に加え、特に頻繁には携帯電話等を使用していない利用者にとっては、受信器そのものとして利用することができるとともに液浸透印として利用することができ、利用価値が向上するという効果を有する。
【図面の簡単な説明】
【図１】本発明印判体を内蔵した移動体通信電話用受信器の実施例を示す正面図である。
【図２】図１図示実施例の右側面図である。
【図３】図１図示Ａ−Ａ断面図である。
【図４】図１図示Ｂ−Ｂ断面図である。
【符号の説明】
１  カバー胴体
２  印判体
３  印判装着体
４  キャップ体
５  蓋体
６  基盤
７  発光体
８  電池
９  印面
１１  露出部
１２  装着部
１３  環
１６  クリップ
１７  掛止突起
１８  突条
１９  突起
【図１】
0003851741.tif 000002
【図２】
0003851741.tif 000003
【図３】
0003851741.tif 000004
【図４】
0003851741.tif 000005